(57)【要約】【課題】  ロール状のシートロールから必要な長さのシート材を簡単、且つ素早く引き出すことを可能とするシートロール支持装置を提供する。【解決手段】  台座２０と、台座２０の上を回転する回転盤３０と、回転盤３０の回転中心位置にて回転盤３０に対し略垂直方向に延びる支持シャフト４０とを備え、支持シャフト４０は、シート材６１が巻回されてなるシートロール６０の長手方向の中空孔６２Ａに挿入されることにより、シートロール６０を回転盤３０上に立てた状態で保持可能である。【選択図】  図１
0003192279.tif 000002
【実用新案登録請求の範囲】
【請求項１】
台座と、前記台座の上を回転する回転盤と、前記回転盤の回転中心位置にて前記回転盤に対し略垂直方向に延びる支持シャフトと、を備え、
前記支持シャフトは、シート材が巻回されてなるシートロールの長手方向の中空孔に挿入されることにより、該シートロールを前記回転盤上に立てた状態で保持可能であることを特徴とするシートロール支持装置。
【請求項２】
前記回転盤は、回転中心位置に形成した孔部を備え、
前記支持シャフトは、前記回転盤の孔部を通過して前記台座に支持されていることを特徴とする請求項１に記載のシートロール支持装置。
【請求項３】
前記回転盤の表面には、載置される前記シートロールとの摩擦を高める滑り止め加工、若しくは摩擦材が設けられていることを特徴とする請求項１又は２に記載のシートロール支持装置。
【請求項４】
前記支持シャフトは、前記台座に回転可能に支持されていることを特徴とする請求項１〜３のうち、いずれか１項に記載のシートロール支持装置。
【請求項５】
前記支持シャフトには、その外周面にシートロールの中空孔の内周面との間で摩擦力を高める摩擦保持部材が取り付けられているとともに、該支持シャフトにおけるシート材引き出し時の回転方向とは逆方向に付勢力を付与する弾性部材が設けられていることを特徴とする請求項１〜４のうち、いずれか１項に記載のシートロール支持装置。
【考案の詳細な説明】
【技術分野】
【０００１】
本考案は、養生シートなどのシート材をロール状に卷回してなるシートロールを使用する際に利用されるシートロール支持装置に関する。
【背景技術】
【０００２】
養生シートなどのシート材は、建物の壁や天井などの塗装工事を行う際に、塗料が家具や床面に付着するのを防ぐために、家具を覆ったり床面に敷いたりして用いられる。あるいは、引越作業の際に、引っ越し業者が養生シートを床や地面に敷いたりする。その他、シート材は、建築や土木などの工事関係者により様々な場面で使用されている。
【０００３】
例えば、塗装箇所の下方全体を養生シートで覆う作業は手間がかかるうえ、養生シートの使用量が増大してコストが嵩むことから、作業性の改善やコスト削減などを目的として特許文献１記載のシート支持具に関する発明が提案されている。
【先行技術文献】
【特許文献】
【０００４】
【特許文献１】特開２００１−２５４５１７号公報
【考案の概要】
【考案が解決しようとする課題】
【０００５】
例えば、引越業者などは養生シートなどのシート材を床や地面に敷く場合、通常は養生シートが巻回されたシートロールを床や地面の上を転がしながら養生シートを引き出して敷く作業を行う。養生シートが巻回されたシートロールの直径は、使用前で通常１５０ｍｍ程度であり、使用するにつれてシート材が引き出されることから徐々に直径が小さくなる。このため、床や地面を転がしてゆくことは非効率的であり、又、養生シートが引き出され過ぎたりして作業能率を著しく悪化させる。このような作業を迅速に手間無く行うには、作業者の人数を増やして幾つかのロールを用いて敷いていくことが必要になる。建築関係や土木関係、その他のさまざまな分野でも全般的に同様の作業となる。しかしながら、特許文献１のシート支持具では、これらの問題点を解決することはできない。
【０００６】
本考案はこのような事情に鑑みてなされたものであって、シート材をロール状に卷回したシートロールから、必要な長さのシート材を簡単且つ迅速に引き出すことを可能とするシートロール支持装置を提供することを目的とする。
【課題を解決するための手段】
【０００７】
請求項１記載の考案は、台座と、前記台座の上を回転する回転盤と、前記回転盤の回転中心位置にて前記回転盤に対し略垂直方向に延びる支持シャフトと、を備え、前記支持シャフトは、シート材が巻回されてなるシートロールの長手方向の中空孔に挿入されることにより該シートロールを前記回転盤上に立てた状態で保持可能であることを特徴とする。
【０００８】
請求項２記載の考案は、上記１項において、前記回転盤は、回転中心位置に形成した孔部を備える。前記支持シャフトは、前記回転盤の孔部を貫通して前記台座に支持されていることを特徴とする。
【０００９】
請求項３記載の考案は、上記１項又は２項において、前記回転盤の表面には、載置される前記シートロールとの摩擦を高める滑り止め加工、若しくは摩擦材が設けられていることを特徴とする。
【００１０】
請求項４記載の考案は、上記１〜３項のうち、いずれか１項において、前記支持シャフトは、前記台座に回転可能に支持されていることを特徴とする。
【００１１】
請求項５記載の考案は、上記１〜４項のうち、いずれか１項において、前記支持シャフトには、その外周面にシートロールの中空孔の内周面との間で摩擦力を高める摩擦保持部材が取り付けられているとともに、該支持シャフトにおけるシート材引き出し時の回転方向とは逆方向に付勢力を付与する弾性部材が設けられていることを特徴とする。
【考案の効果】
【００１２】
本考案によれば、シート材が卷回されているシートロールの中空孔に対し、支持シャフトを挿入することにより、シートロールの下部端面が回転盤上に接触しながら立てた状態で載置される。この状態で、例えば一人がシートロール支持装置を押さえながら、他の一人がロール状のシートの一端を掴んで引っ張ると、シートロールが回転盤と一緒に回転することから、シート材を容易、且つ素早く引き出すことが可能となる。
そして、シート材を所望の長さの分だけ引き出した後、シートロール支持装置の側にいる作業者がシートロールの回転を停止し、シート材をカットする。したがって、シート材を効率良く引き出すことが可能となり、作業者は二人、場合によっては一人でも作業することが可能となり、人件費などを含めた作業コストの削減に寄与する。
また、支持シャフトを台座によって支持することで、支持シャフトを強力に保持することができる。
さらに、支持シャフトを回転可能に支持した場合には、回転盤上のシートロールの回転抵抗を減少させることができることから、より一層スムーズにシート材を引き出すことが可能である。
【図面の簡単な説明】
【００１３】
【図１】本考案に係るシートロール支持装置の一つの実施形態を示す全体的な斜視図である。
【図２】図１におけるシートロール支持装置の斜視図である。
【図３】図１におけるシートロール支持装置の分解斜視図である。
【図４】本考案に係るシートロール支持装置の他の実施形態を示す全体的な斜視図である。
【考案を実施するための形態】
【００１４】
以下、本考案の実施形態に係るシートロール支持装置について図面を参照して説明する。図１は、本考案に係るシートロール支持装置１０の一つの実施形態を示し、ロール状のシート６１〔以下、「シートロール」という〕を装着した状態の全体的な斜視図である。図２は、シートロール６０を外したときのシートロール支持装置１０の斜視図である。図３はシートロール支持装置１０の分解斜視図である。
【００１５】
本実施形態では、シート材として養生シートの場合について説明する。養生シート６１は、例えばボール紙製の芯管６２に卷回されることによって、長尺の養生シート６１が巻き回されたロール状のシートロール６０として、工事の現場へ搬入される。一般的に、シートロール６０に巻回されている養生シート６１は、幅が０．９ｍ（メートル）あるいは１．８ｍ（メートル）のものがある。長さが１００ｍ（メートル）で、直径がほぼ１５０ｍｍである。
なお、シートロール６０は、プラスチックシート、布や反物など、さまざまなシート材を対象とする。
【００１６】
本実施形態のシートロール支持装置１０は、図１および図２に示すように、ベースとなる台座２０と、前記台座２０の上を回転する回転盤３０と、前記回転盤３０の回転中心位置において前記回転盤３０に対してほぼ垂直方向に立設された支持シャフト４０を備えている。支持シャフト４０は、シートロール６０の芯管６２の中空孔６２Ａに挿入され、シートロール６０を立てた状態で保持できるようになっている。
台座２０は、養生シート６１を使用する現場の近くに設置するためのベースである。本実施形態では、図３に示すように、台座２０は、略平面視四角形の平板状をなすベースプレート２１と、このベースプレート２１のほぼ中央位置に前述の支持シャフト４０の下端側を挿入して保持するためのシャフト保持用穴部２２とを備えている。
また、シャフト保持用穴部２２には、支持シャフト４０を回転可能に保持する軸受部２３を備えている。軸受部２３はベースプレート２１の底面に設けられている。
【００１７】
図２に示すように、支持シャフト４０は、ベースプレート２１の上面に対してほぼ垂直方向に延びるようにシャフト保持用穴部２２によって保持されている。しかも、軸受部２３によって回転可能である。なお、支持シャフト４０は、ボルトなどの固定具にてシャフト保持用穴部２２に固着した状態で取り付けておいてもよい。
また、ベースプレート２１の底面には、四角形状の４つの角部にキャスタなどの車輪２４，２４，２４，２４を取り付けている。これによってシートロール支持装置１０を使用する場所へ簡単に移動することができる。車輪２４はブレーキ機構を有し、台座２０を所望位置に固定することができるようになっている。
【００１８】
さらに、ベースプレート２１の上面には、人がシートロール支持装置１０を手で押して移動するためのハンドル２５を、ベースプレート２１における四角形状の一側縁の付近に備えている。また、本実施形態では、ハンドル２５はベースプレート２１に形成したハンドル用穴部２６，２６に挿入かつ抜脱可能に設けられているとともに、ベースプレート２１の一側縁には、ベースプレート２１を持ち上げて移動するための取っ手２７が取り付けられている。
【００１９】
回転盤３０は、図３に示すように、平面視略四角形状の回転プレート３１と、４つの車輪３２，３２，３２，３２とを備え、車輪３２，３２，３２，３２は、回転プレート３１をベースプレート２１上にて回転可能とするために、その底面に取り付けられている。
また、前記回転プレート３１には、その回転中心位置において支持シャフト４０の下端側を挿入するためのシャフト用貫通孔３３が形成されている。
さらに、回転プレート３１の上面には、ゴム製やウレタン製のマット３４が貼り付けられ、回転プレート３１によって支持されるシートロール６０の下部端面との間で、摩擦係数を高めることにより、シートロール６０が回転するに従い回転プレート３１も追随しながら、容易に回転することができるようになっている。なお、一定以上の摩擦係数を有するように回転プレート３１上に滑り止めの加工を行うことでも同様の効果を得ることが可能である。
【００２０】
このような構成により、シートロール支持装置１０は、図２に示すように回転盤３０を台座２０のベースプレート２１の上に載せてから、支持シャフト４０の下端側を回転プレート３１のシャフト用貫通孔３３に挿入する。さらに、支持シャフト４０の下端側をベースプレート２１のシャフト保持用穴部２２へ挿入すると、支持シャフト４０は、ベースプレート２１の上面に対してほぼ垂直の上方向に延びる形で、シャフト保持用穴部２２にて保持される。
回転盤３０は、回転プレート３１が支持シャフト４０を中心にして台座２０のベースプレート２１上を回転可能となる。また、支持シャフト４０は、回転プレート３１対してほぼ垂直に上方向に延びることとなる。
【００２１】
なお、台座２０におけるベースプレート２１の底面に取り付けられている車輪２４については、ベースプレート２１を床面などに確実に固定することができれば、車輪２４に替えて固定タイプの脚をベースプレート２１の底面に取り付けておき、移動の際はベースプレート２１ごと持ち上げるようにして使用することも可能である。或いは、台座２０を持ち運びし易くするために、４つの脚を折り畳み可能に設けることもできる。
また、回転プレート３１を回転可能とするには、上記の車輪３２に限定されず、ローラやボールなどのような他の回転機構でもよい。
【００２２】
次に、上記のシートロール支持装置１０における作用を説明する。
図２および図３において、中空のロール状に卷回されたシートロール６０の芯管６２の中空孔６２Ａを、支持シャフト４０に挿入すると、図１に示すようにシートロール６０の下部端面が、回転盤３０の回転プレート３１の上面に接触して載置される。そして、作業者の一人がシートロール支持装置１０を倒れないように押さえるとともに、他の一人がシートロール６０のシート材６１の一端を掴んで矢印Ｘの方向に引っ張ると、シートロール６０が、回転プレート３１と一緒に矢印Ｙの方向に追随して回転することから、シート材６１を容易にかつ迅速に引き出すことができる。支持シャフト４０が回転可能である場合、シートロール６０における回転の抵抗が小さくなるので、シート材６１を、より一層、スムーズに引き出すことが可能である。
シート材６１が所望の長さの分だけ引き出されたら、シートロール支持装置１０の側の作業者はシートロール６０の回転を停止させて、シート材６１をカッターなどの切断具によってカットする。
【００２３】
以上のように、本実施形態のシートロール支持装置１０によれば、シートロール６０を転がしてゆく従来の方法に比べて、はるかにスピーディに作業を行うことが可能であり、所望のエリアに効率良くシート材６１を敷くことができる。しかも、少ない人数による作業が可能となり、人件費の面でもコストの削減を図ることができる。
また、台座２０に車輪２４を設け、ハンドル２５を設けたことによって、シートロール支持装置１０を所望の場所へ容易に移動することができる。
【００２４】
さらに、支持シャフト４０をベースプレート２１から簡単に取り外すことができ、回転盤３０も簡単に取り外すことができる。さらに、ハンドル２５もベースプレート２１から簡単に取り外すことができる。その結果、取っ手２７を掴んで台座２０を容易に持ち運ぶことができる。また、支持シャフト４０、回転盤３０、ハンドル２５を分解することができるので、分解した状態で所望の場所へ簡単に運ぶことができる。しかも、シートロール支持装置１０を簡単に組み立てることができる。
【００２５】
次に、本考案の他の実施形態に係るシートロール支持装置５０について説明する。なお、前述の実施形態のシートロール支持装置１０と異なる点を主に説明し、同様の箇所は同一の符号を付して詳しい説明は省略する。
シートロール支持装置５０では、図４に示すように、回転盤５１としてターンテーブルを使用している。ターンテーブルとしては種々の構造がある。厳密に言うと、前述の実施形態のシートロール支持装置１０における回転盤３０もターンテーブルである。
【００２６】
図４では、回転盤５１は、一例として、無端管状（リング状）に形成された下部レール５３と、無端管状に形成された上部レール５２とからなり、前記下部レール５３に対し、上部レール５２が、かぶさるようにして配置されている。下部レール５３には、上向きに開口した下レール溝部が形成されており、上部レール５２には下向きに開口した上レール溝部が形成され、これらの上レール溝部と下レール溝部が上下に位置する構成である。上レール溝部と下レール溝部との間には、受け部となる図示しない多数のボールベアリングが配置されている。また、上部レール５２の上面には回転プレート５４が固定され、この回転プレート５４には、回転中心位置において支持シャフト４０の下端側を挿入するためのシャフト用貫通孔５５が形成されている。下部レール５３は、台座２０のベースプレート２１に固定具にて固定されている。
したがって、シートロール支持装置５０の基本的な構造は、前述の実施形態のシートロール支持装置１０と同様であり、作用、効果も同様である。
【００２７】
なお、前述の実施形態では、支持シャフト４０が台座２０のベースプレート２１に保持されているが、回転盤３０，５１の強度を大きくすれば、回転盤３０，５１の上部に支持シャフト４０を固定することも可能である。
【００２８】
また、支持シャフト４０には、その外周面に緩衝材などを巻き付ける、或いは弾性を備えた板状の部材をシャフト４０の外周面に設ける等、各種の摩擦保持部材を設置し、シートロール６０を支持シャフト４０に保持させたときに、中空孔６２Ａの内周面と支持シャフト４０の外周面とを接触させて両者の摩擦力を高め、シートロール６０の回転に追随して支持シャフト４０が回転し易くすることも可能である。同時に、シート材６１を引き出したときの回転方向と逆回転となる付勢力を弦巻バネなどによって付与する弾性部材を支持シャフト４０に対し設置することにより、シート材６１を引き出す際に、シート材６１が不用意に引き出され過ぎるのを防止することが可能となる。これによれば、より効率的にシート材を引き出す作業を行うことができる。
【産業上の利用可能性】
【００２９】
本考案は、養生シートなどのシートを多く使用する業者、建築関係、土木関係、引越業務関係などの様々な現場で幅広く利用可能である。さらに、ロール状の布や反物などにも適用可能であり、利用可能性がさらに拡大する。
【符号の説明】
【００３０】
１０  シートロール支持装置
２０  台座
２１  ベースプレート
２２  シャフト保持用穴部
２３  軸受部
２４  車輪
２５  ハンドル
２６  ハンドル用穴部
２７  取っ手
３０  回転盤
３１  回転プレート
３２  車輪
３３  シャフト用貫通孔
４０  支持シャフト
５０  シートロール支持装置
５１  回転盤
５２  上部レール
５３  下部レール
５４  回転プレート
５５  シャフト用貫通孔
６０  シートロール
６１  シート材
６２  芯管
６２Ａ  中空孔 
【図１】
0003192279.tif 000003
【図２】
0003192279.tif 000004
【図３】
0003192279.tif 000005
【図４】
0003192279.tif 000006